(57)【要約】【課題】外枠作動杆を直接操作して行う前枠の解錠作業を容易に行うことができる遊技機における施錠装置を提供する。【解決手段】施錠装置１７を形成する支持体１８には、前枠１３を外枠１２に施錠するための外枠作動杆４２が上下方向に摺動可能に設けられている。この外枠作動杆４２は上部外枠作動杆３２と下部外枠作動杆３４に分割形成され、上部外枠作動杆３２から延設された連結片３２ｃは、下部外枠作動杆３４を貫通している。下部外枠作動杆３４には連結部材３５が回動可能に軸支されている。連結部材の係合凹部３５ａを連結片３２ｃに係合させることによって、上部外枠作動杆３２と、下部外枠作動杆３４とは連結され、外枠作動杆４２が形成される。そして、上部及び下部外枠作動杆３２，３４のいずれか一方を上下方向に摺動させると同時に、他方も上下方向に摺動させることができる。【選択図】　　　図３
2004081688.tif 000002
【特許請求の範囲】
【請求項１】
外枠と、同外枠の前面に開閉可能に支持された前枠と、前枠の前面に開閉可能に支持されたガラス扉と、前枠の前面における前記ガラス扉の下側に開閉可能に支持された上皿扉とから構成された遊技機の前記前枠に取着され、少なくとも前記前枠を外枠に施錠する遊技機における施錠装置であって、前枠に固定される支持体を備え、同支持体には、前枠を外枠に施錠すべく当該外枠の係合金具に係合する外枠鉤部を備えた外枠作動杆が支持体の延びる方向に沿って摺動可能に設けられ、当該外枠作動杆は複数に分割形成されているとともに、連結部材によって連結可能であることを特徴とする遊技機における施錠装置。
【請求項２】
前記支持体は、前記前枠の上下方向に沿って延びるように同前枠に装着されるとともに、前記外枠作動杆は支持体の上部に取り付けられた上部外枠作動杆と、同上部外枠作動杆の下側に位置するように支持体に取り付けられた下部外枠作動杆とに分割形成され、前記上部外枠作動杆及び下部外枠作動杆はそれぞれ外枠鉤部を備えるとともに、上部外枠作動杆及び下部外枠作動杆のいずれか一方から延設された連結片に対して、他方に回動可能に軸支された前記連結部材が係合することにより上部外枠作動杆と下部外枠作動杆とが連結されることを特徴とする請求項１に記載の遊技機における施錠装置。
【請求項３】
前記支持体は、前記前枠の上下方向に沿って延びるように同前枠に装着されるとともに、前記外枠作動杆は支持体の上部に取り付けられた上部外枠作動杆、同上部外枠作動杆の下側に位置するように支持体に取り付けられた下部外枠作動杆及び上部外枠作動杆と下部外枠作動杆との間に設けられた連結杆に分割形成され、前記上部外枠作動杆及び下部外枠作動杆は前記外枠鉤部を備えるとともに、連結杆から延設された連結片に対して、下部外枠作動杆に回動可能に軸支された前記連結部材が係合することにより連結杆及び下部外枠作動杆が連結されることを特徴とする請求項１に記載の遊技機における施錠装置。
【発明の詳細な説明】
【０００１】
【発明の属する技術分野】
本発明は、パチンコ遊技機の前枠を外枠に施錠する遊技機における施錠装置に関するものである。
【０００２】
【従来の技術】
従来より、遊技機の一種であるパチンコ遊技機における施錠装置は、四角枠状をなすパチンコ遊技機の外枠に、四角枠状をなし、内側に遊技盤が取り付けられる前枠を施錠することができ、さらに、前記前枠にガラス扉を施錠することができる。また、前記施錠装置は、前記前枠に、ガラス扉の下側に設けられた上皿扉を施錠することができる。そして、上記構成の施錠装置は、前枠の背面に取り付けられている。
【０００３】
この施錠装置は縦長の支持体を備え、その支持体の内側に前枠、ガラス扉及び上皿扉を施錠するための施錠機構が設けられている。前記前枠の施錠機構は、支持体の内側にそれぞれ独立して上下摺動可能に設けられた上部外枠作動杆及び下部外枠作動杆より形成されている。上部外枠作動杆の上端部及び下部外枠作動杆の下端部にはそれぞれ外枠鉤部が一体形成されている。そして、外枠に対して前枠を閉止方向へ回転させると、上部及び下部外枠作動杆の外枠鉤部がそれぞれ外枠に設けられた一対の係合金具に係合し、前枠が外枠に施錠される構造となっている。
【０００４】
なお、上記構成の施錠装置がパチンコ遊技機に組み付けられた段階で、そのパチンコ遊技機の遊技構成部材の調整、確認等の作業が行われる。このとき、前記前枠の外枠に対する施錠状態を解錠する作業は、前枠の内側から上部及び下部外枠作動杆を手で直接操作して行われる。即ち、上部及び下部外枠作動杆を手で把持し、そのまま上部及び下部外枠作動杆を移動させ、各外枠鉤部の係合金具に対する係合を解除することによって前枠の解錠が行われる。
【０００５】
【発明が解決しようとする課題】
ところが、上記構成の施錠装置において、上部及び下部外枠作動杆はそれぞれ独立して摺動可能に形成されている。そのため、上部及び下部外枠作動杆を手で直接操作して解錠作業を行う場合、一対の係合金具に対する各外枠鉤部の係合を解除するには、両方の外枠作動杆をそれぞれ手で把持して同時に直接移動させなければならず、前枠の解錠作業が非常に行いにくいという問題があった。
【０００６】
本発明は、上記従来技術に存在する問題点に着目してなされたものである。その目的とするところは、外枠作動杆を直接操作して行う前枠の解錠作業を容易に行うことができる遊技機における施錠装置を提供することにある。
【０００７】
【課題を解決するための手段】
上記問題点を解決するために、請求項１に記載の発明は、外枠と、同外枠の前面に開閉可能に支持された前枠と、前枠の前面に開閉可能に支持されたガラス扉と、前枠の前面における前記ガラス扉の下側に開閉可能に支持された上皿扉とから構成された遊技機の前記前枠に取着され、少なくとも前記前枠を外枠に施錠する遊技機における施錠装置であって、前枠に固定される支持体を備え、同支持体には、前枠を外枠に施錠すべく当該外枠の係合金具に係合する外枠鉤部を備えた外枠作動杆が支持体の延びる方向に沿って摺動可能に設けられ、当該外枠作動杆は複数に分割形成されているとともに、連結部材によって連結可能であることを要旨とする。
【０００８】
請求項２に記載の発明は、請求項１に記載の遊技機における施錠装置において、前記支持体は、前記前枠の上下方向に沿って延びるように同前枠に装着されるとともに、前記外枠作動杆は支持体の上部に取り付けられた上部外枠作動杆と、同上部外枠作動杆の下側に位置するように支持体に取り付けられた下部外枠作動杆とに分割形成され、前記上部外枠作動杆及び下部外枠作動杆はそれぞれ外枠鉤部を備えるとともに、上部外枠作動杆及び下部外枠作動杆のいずれか一方から延設された連結片に対して、他方に回動可能に軸支された前記連結部材が係合することにより上部外枠作動杆と下部外枠作動杆とが連結されることを要旨とする。
【０００９】
請求項３に記載の発明は、請求項１に記載の遊技機における施錠装置において、前記支持体は、前記前枠の上下方向に沿って延びるように同前枠に装着されるとともに、前記外枠作動杆は支持体の上部に取り付けられた上部外枠作動杆、同上部外枠作動杆の下側に位置するように支持体に取り付けられた下部外枠作動杆及び上部外枠作動杆と下部外枠作動杆との間に設けられた連結杆に分割形成され、前記上部外枠作動杆及び下部外枠作動杆は前記外枠鉤部を備えるとともに、連結杆から延設された連結片に対して、下部外枠作動杆に回動可能に軸支された前記連結部材が係合することにより連結杆及び下部外枠作動杆が連結されることを要旨とする。
【００１０】
【発明の実施の形態】
（第１の実施形態）
以下、本発明を具体化した第１の実施形態を図１〜図５に基づいて詳細に説明する。
【００１１】
図５に示すように、遊技機の一種であるパチンコ遊技機１１は、その外郭が縦長四角枠状をなす外枠１２により形成され、この外枠１２の前面の一側部には、四角枠状をなす前枠１３の一側部が支持されて外枠１２に対して開閉可能になっている。前記外枠１２の他側部には図示しない係合金具が取り付けられている。
【００１２】
この前枠１３には、図示しない打球発射装置、球皿等のパチンコゲームを展開可能とする遊技構成部材が搭載できるとともに、前枠１３の内側には遊技盤１４が保持されるようになっている。この遊技盤１４の前面には、図示しない釘、入賞器具等の遊技構成部材が設けられ、背面にはプリント基板等の遊技構成部材が搭載されている。
【００１３】
前枠１３の前面の一側部には四角板状のガラス扉１５が支持され、前枠１３に対して開閉可能になっている。ガラス扉１５が前枠１３に閉止された状態では、ガラス扉１５によってパチンコ遊技機１１前面から遊技盤１４が視認可能となっている。また、ガラス扉１５の他側部の背面には図示しない係合金具が取り付けられている。さらに、前枠１３の前面におけるガラス扉１５の下側には、図示しないパチンコ球を貯留するための上皿を備えた長四角板状の上皿扉１６の一側部が支持されている。この上皿扉１６は前枠１３に対して開閉可能になっている。また、この上皿扉１６の他側部の背面には図示しない係合金具が取り付けられている。
【００１４】
前枠１３の他側部の背面には、同前枠１３の上下方向に沿って延びる縦長四角状の施錠装置１７が装着され、その施錠装置１７によってガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１５】
図１及び図２に示すように、施錠装置１７は、亜鉛メッキ鋼板等の金属板から形成され、断面略コ字状をなすとともに、上下方向に延びるように形成された支持体１８によって外郭が形成されている。この支持体１８は、縦長四角板状の固定板１８ａと、固定板１８ａの左側から背面方向に折り曲げ形成された側板１８ｂと、固定板１８ａの右側から背面方向に折り曲げ形成されたリブ１８ｃとから構成されている。
【００１６】
図１に示すように、前記固定板１８ａのほぼ中央部及び下端部には、第１ばね掛止片１８ｄ及び第２ばね掛止片１８ｅがそれぞれ下方に延びるように切り起こし形成されている。また、固定板１８ａの下端部には、側板１８ｂと平行をなすように切り起こされた取付板１８ｇが形成され、その取付板１８ｇには平面視略Ｔ字状をなす取付片１８ｆが右方向に延びるように切り起こし形成されている。さらに、前記側板１８ｂの上部及び下部にも前記取付片１８ｆが右方向に延びるように切り起こし形成されている。
【００１７】
まず、前記上皿扉１６の前枠１３に対する施錠機構について説明する。図１に示すように、側板１８ｂの下端の内側には一対の上皿扉鉤部材２１が取り付けられている。上側の上皿扉鉤部材２１の前端部には、下方に延びる上皿扉鉤部２１ａが形成され、下側の上皿扉鉤部材２１の前端部には、上方に延びる上皿扉鉤部２１ａが形成されている。そして、上皿扉１６が閉止方向へ回転されると、上下両上皿扉鉤部材２１の上皿扉鉤部２１ａがそれぞれ上皿扉１６に設けられた係合金具に係合して、上皿扉１６が前枠１３に対して施錠されるように構成されている。
【００１８】
続いて、ガラス扉１５の前枠１３に対する施錠機構について詳述する。図１に示すように、側板１８ｂの内側には長四角板状のガラス扉作動体２２が上下方向へ摺動可能に設けられている。ガラス扉作動体２２の上下端には、側面視Ｔ字状の上部ガイド孔２２ａ及び下部ガイド孔２２ｂが透設されている。そして、ガラス扉作動体２２は、前記側板１８ｂの上部の取付片１８ｆを上部ガイド孔２２ａに挿入し、下部の取付片１８ｆを下部ガイド孔２２ｂに挿入することによって側板１８ｂに取着されている。
【００１９】
ガラス扉作動体２２の上下端には、側面横コ字状の上部ガラス扉鉤部２３及び下部ガラス扉鉤部２４が設けられ、図２に示すように、上部及び下部ガラス扉鉤部２３，２４は施錠装置１７の前面側に突出している。そして、これらの上部及び下部ガラス扉鉤部２３，２４がガラス扉１５に設けられた係合金具に係脱することによって、ガラス扉１５が前枠１３に対して施錠及び解錠される。
【００２０】
図１に示すように、ガラス扉作動体２２の中央部には側面横Ｌ字状のロック体２５の上端部がリベット２６でかしめ着けされることによって回動可能に軸支されている。ロック体２５の中央部の縁部には施錠装置１７の背面側へ突出する係合突部２５ａが形成され、この係合突部２５ａは、側板１８ｂの背面側の縁部に折り曲げ形成された係合片１８ｈに係合可能に形成されている。
【００２１】
そして、上部及び下部ガラス扉鉤部２３，２４がガラス扉１５の係合金具に係合した状態では、係合突部２５ａが係合片１８ｈの上側に位置する。そのため、ガラス扉作動体２２を不正操作等によって押し下げようとしても、係合突部２５ａが係合片１８ｈに係合して、ガラス扉作動体２２の押し下げが規制される。その結果、上部及び下部ガラス扉鉤部２３，２４と係合金具との係合が維持され、ガラス扉１５の不正解錠が防止される。
【００２２】
固定板１８ａの中央より若干下側には背面横台形状のシリンダ錠固定部２７が形成されている。シリンダ錠固定部２７には、シリンダ錠２８の基端部が装着され、その先端側は固定板１８ａの前面に突出した状態となっている。シリンダ錠２８の基端には、背面視略Ｖ字状のカム板２９が錠軸３０に軸着され、シリンダ錠２８の先端側から鍵３１を挿入して解錠操作を行うべく回転させると、カム板２９は錠軸３０を中心に鍵３１の回転方向と同一方向に回転するようになっている。カム板２９には、舌片状の第１脚片２９ａが段差部分を介してカム板２９の中央から斜め上方に向かって延設されている。また、カム板２９には舌片状の第２脚片２９ｂがカム板２９の中央から斜め下方に向かって延設されている。
【００２３】
次に、前枠１３の外枠１２に対する施錠機構について詳述する。図３に示すように、支持体１８には、前枠１３を外枠１２に施錠すべく当該外枠１２の係合金具４０に係合する外枠鉤部３３，３７を備えた外枠作動杆４２が支持体１８の延びる方向に沿って摺動可能に設けられている。この外枠作動杆４２は上部及び下部外枠作動杆３２，３４の二体に分割形成されているとともに、連結部材３５によって連結可能に形成されている。
【００２４】
具体的に説明すると、図１に示すように、前記ガラス扉作動体２２の右側には、長四角板状の上部外枠作動杆３２が上下方向に摺動可能に設けられている。この上部外枠作動杆３２の上端側には、側面視逆Ｔ字状の上部取付孔３２ａが透設されている。そして、前記上部ガイド孔２２ａに挿入された上側の取付片１８ｆを上部取付孔３２ａに挿入し、上部外枠作動杆３２を下方にスライドさせることによって、同上部外枠作動杆３２は支持体１８、具体的には側板１８ｂに取着されている。
【００２５】
上部外枠作動杆３２の上端部には、略三角板状の上部外枠鉤部３３が一体形成されている。その上部外枠鉤部３３の中央には、下方に向かって開口する係合凹所３３ａが凹設され、上部外枠鉤部３３の先端は端部に向かうに従って上方に傾斜するように形成されている。
【００２６】
また、上部外枠作動杆３２のほぼ中央部には上部ばね掛止片３２ｂが上方に延びるように切り起こし形成されている。そして、この上部ばね掛止片３２ｂに付勢部材としての第１コイルばねＣ１の上端部が掛止され、その第１コイルばねＣ１の下端部が前記第１ばね掛止片１８ｄに掛止されている。この第１コイルばねＣ１の付勢力によって、上部外枠作動杆３２は下方に付勢されている。
【００２７】
さらに、上部外枠作動杆３２の下部には平面視横Ｔ字状をなす連結片３２ｃが右方向に延びるように切り起こし形成されている。加えて、上部外枠作動杆３２における連結片３２ｃの下側には、前記第１脚片２９ａが通過可能な長四角形状の逃げ長孔３２ｄが形成され、その逃げ長孔３２ｄ下側には、前記第２脚片２９ｂが係止可能な長四角形状の係止長孔３２ｅが形成されている。
【００２８】
前記上部外枠作動杆３２の下側には、長四角板状の下部外枠作動杆３４が上下方向へ摺動可能に設けられている。下部外枠作動杆３４の上端部には、側面視Ｔ字状の連結孔３４ａが透設され、下部外枠作動杆３４の中央部より下側には側面視逆Ｔ字状をなす一対の取付長孔３４ｂが透設されている。そして、上部外枠作動杆３２の連結片３２ｃを連結孔３４ａに挿入し、さらに、下側二箇所の取付片１８ｆをそれぞれ取付長孔３４ｂに挿入する。その結果、下部外枠作動杆３４が上部外枠作動杆３２に取り付けられるとともに、支持体１８、具体的には側板１８ｂに取着されている。
【００２９】
図２に示すように、上部外枠作動杆３２の下側に下部外枠作動杆３４が配置された状態で、上部外枠作動杆３２の下部と、下部外枠作動杆３４の上部とが互いに重なり合っている。そして、上部外枠作動杆３２から延設された連結片３２ｃが下部外枠作動杆３４を貫通している。
【００３０】
下部外枠作動杆３４の上部には、連結部材３５の基端部が軸部材としてのリベット３６によりかしめ着けられ、そのリベット３６を回動中心として連結部材３５は回動可能となっている。この連結部材３５の先端部には前記連結片３２ｃに係合可能な係合凹部３５ａが凹設されている。前記連結部材３５の重心は、図２の実線に示す連結部材３５において、リベット３６の中心点を通る鉛直線よりも施錠装置１７の前面側に位置し、図２の２点鎖線に示す連結部材３５において、前記鉛直線よりも施錠装置１７の背面側に位置している。
【００３１】
図１に示すように、下部外枠作動杆３４において、連結部材３５の下側には、前記第１脚片２９ａが通過可能な長四角形状の逃げ長孔３４ｄが形成され、その逃げ長孔３４ｄ下側には、前記第２脚片２９ｂが係止可能な長四角形状の係止長孔３４ｅが形成されている。さらに、前記一対の取付長孔３４ｂの間には、下部ばね掛止片３４ｆが上方向に延びるように切り起こし形成されている。そして、この下部ばね掛止片３４ｆに付勢部材としての第２コイルばねＣ２の上端部が掛止され、その第２コイルばねＣ２の下端部が前記第２ばね掛止片１８ｅに掛止されている。この第２コイルばねＣ２の付勢力によって、下部外枠作動杆３４は下方に付勢されている。
【００３２】
下部外枠作動杆３４の下端部には、略三角板状の下部外枠鉤部３７が一体形成されている。その下部外枠鉤部３７の中央には、下方に向かって開口する係合凹所３７ａが凹設され、下部外枠鉤部３７の先端は端部に向かうに従って上方に傾斜するように形成されている。
【００３３】
図３に実線に示すように、前記連結部材３５を上方へ回動させ、係合凹部３５ａを連結片３２ｃに係合させることによって、上記構成の上部外枠作動杆３２と、下部外枠作動杆３４とは連結され、外枠作動杆４２が形成されるように構成されている。即ち、上記連結状態において、上部及び下部外枠作動杆３２，３４のいずれか一方を上下方向に摺動させると同時に、他方も上下方向に摺動させ、外枠作動杆４２を摺動させることができる。
【００３４】
次に、施錠装置１７の作用を説明する。
まず、パチンコ遊技機１１がホールに設置されていない段階で、パチンコ遊技機１１に対して施錠装置１７を装着するには、図２に示すように、支持体１８が前枠１３の上下方向に沿って延びるように配置する。続いて、各上皿扉鉤部２１ａ、シリンダ錠２８の先端及び各ガラス扉鉤部２３、２４を前枠１３に形成された図示しない挿通孔に挿通させる。さらに、固定板１８ａの前面を前枠１３の四角枠状の縦枠の背面に当接させる。
【００３５】
そして、前枠１３に固定板１８ａをねじ等で固定して支持体１８を前枠１３に固定することによって、施錠装置１７が前枠１３の背面に取着される。各上皿扉鉤部２１ａ、シリンダ錠２８の先端及び各ガラス扉鉤部２３、２４は前枠１３の前面に突出するようになっている。このとき、図２に２点鎖線に示すように、連結片３２ｃに連結部材３５の係合凹部３５ａは係合し、上部及び下部外枠作動杆３２，３４とが連結されて外枠作動杆４２が形成されている。
【００３６】
開放状態の前枠１３を外枠１２に施錠するには、前枠１３を閉止方向に回動させる。すると、上部外枠鉤部３３の先端側の下端縁が、外枠１２の上部に形成された係合金具４０の上端縁に摺接し、下部外枠鉤部３７の先端側の下端縁が、外枠１２の下部に形成された係合金具４０の上端縁に摺接する。このとき、上部及び下部外枠鉤部３３，３７の先端は上方に向かって傾斜しているため、上部外枠作動杆３２及び下部外枠作動杆３４は、それぞれ第１及び第２コイルばねＣ１，Ｃ２の付勢力に抗して押し上げられ、第１及び第２コイルばねＣ１，Ｃ２はそれぞれ伸張される。
【００３７】
そして、前枠１３の回動によって各係合凹所３３ａ，３７ａがそれぞれ係合金具４０の上側に位置すると、伸張した第１及び第２コイルばねＣ１，Ｃ２が原形状への復元する。すると、その復元力によって上部及び下部外枠作動杆３２，３４が下方に移動され、係合凹所３３ａ，３７ａがそれぞれ各係合金具４０に係合される。
【００３８】
この係合状態において、第１及び第２コイルばねＣ１，Ｃ２の付勢力によって、上部及び下部外枠作動杆３２，３４は下方へ付勢されているため、外枠鉤部３３，３７が係合金具４０に係合した状態が維持され、外枠１２に対する前枠１３の施錠が維持される。
【００３９】
前記施錠状態で、例えばパチンコ遊技機１１の各遊技構成部材の調整や確認業務を行うために、外枠作動杆４２、即ち上部及び下部外枠作動杆３２，３４を手で直接操作して前記係合を解除する。この際は、まず、前枠１３の内側へ手を挿入し、その手で上部外枠作動杆３２又は下部外枠作動杆３４を片手で把持して直接操作して上方に移動させる。このとき、図３に実線に示すように、連結部材３５により上部及び下部外枠作動杆３２，３４は連結されている。そのため、上部及び下部外枠作動杆３２，３４が同時に上方へ移動されることによって、外枠作動杆４２が上方に移動され、係合凹所３３ａ，３７ａの各係合金具４０に対する係合が同時に解除される。そして、前枠１３を開放方向へ回転させると、前枠１３が開放される。
【００４０】
続いて、前記各遊技構成部材の調整、確認作業が終了してパチンコ遊技機１１をホールに設置して稼働させる場合は、パチンコ遊技機１１を設置した直後に、図２に実線に示すように、連結部材３５を下方に回動させて係合凹部３５ａと連結片３２ｃとの係合を解除しておく。このとき、連結片３２ｃに係合した状態の連結部材３５の重心は施錠装置１７の背面側にずれているため、連結部材３５を背面側へ押し出すと、同連結部材３５は自重により下方へ回動する。
【００４１】
そして、連結部材３５が下方へ回動した状態では、連結部材３５の重心はリベット３６より下側に位置するため、連結部材３５が上方に向かって回動する虞はない。従って、パチンコ遊技機１１の稼働中に、連結片３２ｃに係合凹部３５ａが係合し、上部及び下部外枠作動杆３２，３４が一体化されることがない。
【００４２】
パチンコ遊技機１１の稼働中に、前枠１３を外枠１２から解錠するには、シリンダ錠２８に鍵３１を差し込んで回転させる。すると、第２脚片２９ｂが係止長孔３４ｅ，３２ｅの内周縁に同時に係止し、カム板２９の回転によって上部及び下部外枠作動杆３２，３４が同時に第１及び第２コイルばねＣ１，Ｃ２の付勢力に抗して押し上げられる。
【００４３】
すると、図３に示すように、上部外枠作動杆３２及び下部外枠作動杆３４がそれぞれ押し上げられることによって外枠作動杆４２が押し上げられ、係合凹所３３ａ，３７ａと係合金具４０との係合が解除され、外枠１２から前枠１３が解錠される。解錠後、鍵３１を原位置へ復帰回転させると、伸張した第１及び第２コイルばねＣ１，Ｃ２の原形状への復元力により上部及び下部外枠作動杆３２，３４が引き下げられる。
【００４４】
一方、施錠装置１７を使用して前枠１３を外枠１２に施錠する場合は、上記と同様に前枠１３を閉止方向に回動することによって行われる。この前枠１３の施錠状態で、上部外枠作動杆３２と下部外枠作動杆３４とは連結されていない。そのため、例えば、図４に示すように、不正部材等により上部外枠作動杆３２が不正操作によって移動され、係合凹所３３ａと係合金具４０との係合が解除されたとしても、下部外枠作動杆３４は上部外枠作動杆３２と同時に移動しない。従って、係合凹所３７ａと係合金具４０との係合は維持され、前枠１３の外枠１２に対する施錠状態が維持される。
【００４５】
従って、この施錠装置１７において、同施錠装置１７の前枠１３に対する装着開始からパチンコ遊技機１１の設置までの間は、連結片３２ｃに係合凹部３５ａが係合している。そのため、上部及び下部外枠作動杆３２，３４は連結されて外枠作動杆４２が形成されている。そして、遊技構成部材の調整、確認等の作業が済んだ後に、連結部材３５による上部及び下部外枠作動杆３２，３４の連結が解除される。
【００４６】
上記第１の実施形態の施錠装置１７によれば、以下のような特徴を得ることができる。
（１）上部外枠作動杆３２と下部外枠作動杆３４とに分割形成された外枠作動杆４２を連結部材３５により連結可能に形成した。そのため、連結部材３５による上部外枠作動杆３２及び下部外枠作動杆３４の連結状態で、上部外枠作動杆３２及び下部外枠作動杆３４いずれか一方を手で直接操作することによって他方も同時に作動させることができる。即ち、外枠作動杆４２を一度の操作で作動させて上部及び下部外枠鉤部３３，３７と各係合金具４０との係合を同時に解除することができる。従って、遊技構成部材の調整、確認等の作業を行う際に、上部外枠作動杆３２及び下部外枠作動杆３４の両方を別々に直接操作して前枠１３の解錠作業を行っていた従来と異なり、前枠１３の解錠作業を容易に行うことができる。
【００４７】
（２）連結部材３５が連結片３２ｃに係合していない状態では、上部及び下部外枠作動杆３２，３４はそれぞれ独立して摺動可能に形成されている。そのため、パチンコ遊技機１１の稼働状態では、上部及び下部外枠作動杆３２，３４のいずれか一方の係合金具４０に対する係合が解除されても他方は摺動せず、係合金具４０に対する係合を維持することができる。従って、前枠１３が容易に解錠されてしまう虞を無くすことができる。
【００４８】
（３）上部及び下部外枠作動杆３２，３４はそれぞれ第１及び第２コイルばねＣ１，Ｃ２の付勢力により上部及び下部外枠鉤部３３，３７が各係合金具４０に係合する方向に付勢されている。そのため、各外枠鉤部３３，３７が係合金具４０に係合した状態を維持することができ、前枠１３の外枠１２に対する施錠状態を維持することができる。
【００４９】
（４）上部及び下部外枠鉤部３３，３７がそれぞれ係合金具４０に同時に係合可能となる位置で連結部材３５は連結片３２ｃに係合する。そのため、上部及び下部外枠作動杆３２，３４が連結された状態で移動させたとき、各外枠鉤部３３，３７の係合金具４０に対する係合を同時に解除することができる。
【００５０】
（５）連結部材３５が下方へ回動した状態では、連結部材３５の重心はリベット３６より下側に位置するため、連結部材３５が上方に向かって回動する虞はない。従って、パチンコ遊技機１１の稼働中に、連結片３２ｃに係合凹部３５ａが係合し、上部及び下部外枠作動杆３２，３４が連結されて外枠作動杆４２が形成されてしまうといった不都合を無くすことができる。
【００５１】
（６）上部外枠作動杆３２から延設された連結片３２ｃと、下部外枠作動杆３４に軸支された連結部材３５との係合によって、上部及び下部外枠作動杆３２，３４を容易に連結することができる。
【００５２】
（第２の実施形態）
以下、本発明を具体化した第２の実施形態を図６に従って説明する。なお、第２の実施形態は、第１の実施形態の外枠作動杆４２を変更したのみの構成であるため、同様の部分についてはその詳細な説明を省略する。
【００５３】
図６に示すように、この施錠装置１７において、外枠作動杆４２は、上部外枠作動杆４４、下部外枠作動杆４５及びそれら上部外枠作動杆４４と下部外枠作動杆４５との間に設けられた連結杆４６に分割形成されている。前記上部外枠作動杆４４は、第１の実施形態の上部外枠作動杆３２の上端部とほぼ同形状に形成され、その上部外枠作動杆４４には、第１の実施形態の上部外枠鉤部３３及び上部取付孔３２ａが形成されている。さらに、上部外枠作動杆４４の下部には、側面視Ｔ字状をなす下部取付孔４４ａが形成され、上部取付孔３２ａと下部取付孔４４ａとの間には、上部ばね掛止片４４ｂが上方に延びるように形成されている。
【００５４】
そして、この上部ばね掛止片４４ｂに前記第１コイルばねＣ１の上端部が掛止され、その第１コイルばねＣ１の下端部が前記第１ばね掛止片１８ｄに掛止されている。この第１コイルばねＣ１の付勢力によって、上部外枠作動杆４４は下方に付勢され、外枠鉤部３３が係合金具４０に係合する方向に付勢されている。
【００５５】
前記上部外枠作動杆４４の下側には、長四角板状の下部外枠作動杆４５が上下方向へ摺動可能に設けられている。この下部外枠作動杆４５は、第１の実施形態の下部外枠作動杆３４と比較して上下方向への長さが若干短く形成されている。また、下部外枠作動杆４５には、第１の実施形態の連結孔３４ａ、一対の取付長孔３４ｂ、逃げ長孔３４ｄ、係止長孔３４ｅ、下部ばね掛止片３４ｆ及び下部外枠鉤部３７が形成されている。
【００５６】
下部外枠作動杆４５の一側縁には下方に延びる掛止フック４５ａが形成されている。加えて、下部外枠作動杆４５における連結孔３４ａの下側には、第１の実施形態の連結部材３５がリベット３６によって軸支されている。また、下部外枠作動杆４５は、下部ばね掛止片３４ｆと第２ばね掛止片１８ｅとの間に設けられた第２コイルばねＣ２の付勢力によって下方に付勢され、外枠鉤部３７が係合金具４０に係合する方向に付勢されている。
【００５７】
前記上部外枠作動杆４４と下部外枠作動杆４５との間に配置される連結杆４６は、第１の実施形態の上部外枠作動杆３２において、上部取付孔３２ａより下側の部位とほぼ同形状に形成されている、なお、連結杆４６は上下方向への長さが上部外枠作動杆３２より若干短く形成されている。
【００５８】
そして、連結杆４６には、第１の実施形態の連結片３２ｃ、逃げ長孔３２ｄ及び係止長孔３２ｅが形成され、上部ばね掛止片３２ｂは省略されている。連結杆４６の上端部には、平面視略Ｔ字状をなす取付片４６ａが右方向に延びるように切り起こし形成されている。また、連結杆４６の一側縁には、掛止フック４６ｂが上方に延びるように形成されている。
【００５９】
連結杆４６の取付片４６ａを上部外枠作動杆４４の下部取付孔４４ａに挿入し、連結杆４６の連結片３２ｃを下部外枠作動杆４５の連結孔３４ａに挿入する。さらに、上側の取付片１８ｆを上部取付孔３２ａに挿入し、下側二箇所の取付片１８ｆをそれぞれ取付長孔３４ｂに挿入する。その結果、上部外枠作動杆４４が支持体１８の上部に取り付けられ、下部外枠作動杆４５は上部外枠作動杆４４の下側に位置するように支持体１８に取り付けられる。さらに、上部外枠作動杆４４と下部外枠作動杆４５との間に連結杆４６が配置される。
【００６０】
また、前記掛止フック４５ａにはコイルばね５０の下端が掛止され、そのコイルばね５０の上端が掛止フック４６ｂに掛止されている。そして、コイルばね５０の付勢力によって、連結杆４６が下方に付勢されている。連結部材３５を上方へ回動させ、連結片３２ｃに係合凹部３５ａを係合させる。すると、下部外枠作動杆４５と連結杆４６とが連結される。
【００６１】
さて、前枠１３の外枠１２に対する施錠状態で、パチンコ遊技機１１の各遊技構成部材の調整や確認業務を行うために、外枠作動杆４２を手で直接操作して係合金具４０と外枠鉤部３３，３７との係合を解除する場合は、まず、前枠１３の内側へ手を挿入する。そして、その手で下部外枠作動杆４５又は連結杆４６を把持して直接操作し、上方に移動させる。すると、連結部材３５により下部外枠作動杆４５と連結杆４６は連結されているため下部外枠作動杆４５及び連結杆４６は同時に上方へ移動される。
【００６２】
連結杆４６の上方への移動により、取付片４６ａが上方へ移動される。すると、その取付片４６ａが下部取付孔４４ａの内周面に当接し、上部外枠作動杆４４が押し上げられる。その結果、上部外枠作動杆４４、下部外枠作動杆４５及び連結杆４６が同時に上方へ移動され、外枠作動杆４２が上方へ移動される。即ち、係合凹所３３ａ，３７ａの各係合金具４０に対する係合が同時に解除される。
【００６３】
従って、第２の実施形態においても、下部外枠作動杆４５及び連結杆４６の連結状態でいずれか一方を手で直接操作することによって上部外枠作動杆４４も同時に作動させることができ、外枠作動杆４２を一度の操作で作動させて上部及び下部外枠鉤部３３，３７と各係合金具４０との係合を同時に解除することができる。従って、遊技構成部材の調整、確認等の作業を行う際に、前枠１３の解錠作業を容易に行うことができる。
【００６４】
なお、各実施形態は以下のように変更してもよい。
・　各実施形態では、連結部材３５を自重によって下方に回動させたが、以下のように構成してもよい。例えば、コイルばねの一端を連結部材３５の先端に掛止し、同コイルばねの他端を、前記リベット３６の下側に位置する下部外枠作動杆３４の外面に掛止する。そして、コイルばねの中性点より連結片３２ｃ側では、コイルばねの付勢力によって連結部材３５が連結片３２ｃに係合する方向へ付勢し、中性点より背面側では連結部材３５が下方へ回動する方向に付勢してもよい。
【００６５】
・　第１の実施形態では、連結部材３５を下部外枠作動杆３４に軸支し、連結片３２ｃを上部外枠作動杆３２に形成したが以下のように変更してもよい。即ち、連結部材３５を上部外枠作動杆３２に軸支し、連結片３２ｃを下部外枠作動杆３４に延設してもよい。
【００６６】
・　第１の実施形態では、上部外枠作動杆３２と下部外枠作動杆３４とを連結部材３５により連結して外枠作動杆４２を形成したが、以下のように変更してもよい。例えば、外枠作動杆４２を、上部外枠作動杆３２と下部外枠作動杆３４との間に設けられた連結外枠作動杆とに分割形成する。この連結外枠作動杆には外枠鉤部が設けられ、外枠１２の一対の係合金具４０の間に設けられた係合金具に係合可能に形成されている。そして、連結外枠作動杆に一対の連結部材３５を設け、各連結部材３５により上部外枠作動杆３２と連結外枠作動杆及び下部外枠作動杆３４と連結外枠作動杆とを連結して外枠作動杆４２を形成してもよい。
【００６７】
・　各実施形態では、施錠装置１７に、外枠１２と前枠１３、前枠１３とガラス扉１５及び前枠１３と上皿扉１６の施錠機構を設けたが、前枠１３とガラス扉１５及び前枠１３と上皿扉１６の施錠機構の少なくともいずれか一方を省略してもよい。
【００６８】
・　各実施形態において、第１及び第２コイルばねＣ１，Ｃ２、さらにコイルばね５０を、板ばねやゴム等の他の付勢部材にそれぞれ変更してもよい。
・　各実施形態では、連結片３２ｃに係合凹部３５ａが係合した状態で、施錠装置１７を前枠１３に取り付けたが以下のように変更してもよい。即ち、施錠装置１７を前枠１３に取り付けた状態で、連結片３２ｃと係合凹部３５ａとの係合が解除されていてもよい。そして、パチンコ遊技機１１の各遊技構成部材の調整や確認業務を行うために、外枠作動杆４２を手で直接操作する直前に、連結部材３５を手で回動させて連結片３２ｃと係合凹部３５ａとを係合させてもよい。
【００６９】
・　各実施形態では、パチンコ遊技機１１の稼働中には連結片３２ｃに対する係合凹部３５ａの係合を解除して、外枠作動杆４２が形成されないようにしたが以下のように変更してもよい。即ち、パチンコ遊技機１１の稼働中に、連結片３２ｃに係合凹部３５ａが係合されていてもよい。このように構成しても、パチンコ遊技機１１の施錠装置１７としての機能に支障を来すことはない。
【００７０】
次に上記実施形態及び別例から把握できる技術的思想について、それらの効果とともに以下に追記する。
（１）前記外枠作動杆は付勢部材の付勢力によって外枠鉤部が係合金具に係合する方向に付勢されていることを特徴とする請求項１〜請求項３のいずれか一項に記載の遊技機における施錠装置。このように構成した場合、外枠鉤部が係合金具に係合した状態を維持することができ、前枠の外枠に対する施錠状態を維持することができる。
【００７１】
（２）前記連結部材は、軸部材によって下部外枠作動杆に回動可能に軸支され、当該軸部材が連結片の下側に位置することにより、連結部材が連結片との係合が解除される方向に回動されたとき、同連結部材の重心は軸部材の下側に位置することを特徴とする請求項２に記載の遊技機における施錠装置。このように構成した場合、連結部材が連結片との係合が解除された方向へ回動した状態では、連結部材が連結片に係合すべく上方に向かって回動する虞はない。従って、遊技機の稼働中に、上部及び下部外枠作動杆が連結部材によって連結されてしまうといった不都合を無くすことができる。
【００７２】
【発明の効果】
以上、詳述したように、請求項１〜請求項３のいずれか一項に記載の発明によれば、外枠作動杆を直接操作して行う前枠の解錠作業を容易に行うことができる。
【図面の簡単な説明】
【図１】第１の実施形態の施錠装置を示す分解斜視図。
【図２】第１の実施形態の施錠装置を示す側断面図。
【図３】外枠作動杆が上方へ移動した状態を示す側断面図。
【図４】上部外枠作動杆が上方へ移動した状態を示す側断面図。
【図５】第１の実施形態の遊技機を示す斜視図。
【図６】第２の実施形態の施錠装置を示す分解斜視図。
【符号の説明】
１１…遊技機としてのパチンコ遊技機、１２…外枠、１３…前枠、１５…ガラス扉、１６…上皿扉、１７…施錠装置、１８…支持体、３２，４４…上部外枠作動杆、３２ｃ…連結片、３３…上部外枠鉤部、３４，４５…下部外枠作動杆、３５…連結部材、３７…下部外枠鉤部、４０…係合金具、４２…外枠作動杆、４６…連結杆。
【図１】
2004081688.tif 000003
【図２】
2004081688.tif 000004
【図３】
2004081688.tif 000005
【図４】
2004081688.tif 000006
【図５】
2004081688.tif 000007
【図６】
2004081688.tif 000008